(57)【特許請求の範囲】
【請求項１】
消火液を充填し、センサーと消火液噴射ノズルを下方に向けて備え、異常な高温を感知して天井から消火液を散布する型式の消火器本体を、天井に開口部を設けて天井裏に固定した消火器装着構造において、
両端が水平な平板からなるブリッジであって、中央部に、天井の開口部に嵌入できる凹部を形成し、該凹部の底面が両端の水平な平板と平行であり、該凹部の長さ方向の一方の縁に、消火器本体の側周部を一体に覆う本体カバーを固定できるストッパーを垂直に上方に延出させ、両端の水平な平板が、固定すべき天井上面の隣接する野縁間の距離より長いブリッジを対称に２本設けると共に、
該ブリッジの凹部に安定に係合するブリッジガイドを設けた本体カバーと、センサー部位及び噴射ノズルを開口した化粧カバーを有する消火器装着構造。
【請求項２】
ブリッジの凹部の深さと野縁の厚さとが、装着上一致しなかった場合に、ブリッジの両端の水平な平板に前もって装着するスペーサーを設け、該スペーサーが３〜７ｍｍ厚を１単位とし、１単位の整数倍の厚さのスペーサーを複数枚備えると共に、スペーサーの一方の面に係合突起を、他方の面に該係合突起と密に嵌合する嵌合穴を一定間隔で２個以上設けたことを特徴とする請求項１記載の消火器装着構造。
【請求項３】
消火器本体と、天井開口部を室内側から覆って塞ぐ化粧カバーと、消火器本体にネジ込まれることにより化粧カバーを消火器本体に固定させる固定締結部材とを備え、固定締結部材を消火器本体にネジ込むことにより、ブリッジの水平な平板と化粧カバーとの間に天井板及び野縁を挟み込むことを特徴とする請求項１又は２記載の消火器装着構造。
【請求項４】
消火器本体は室内側に向かってセンサーと噴射ノズルを突出し、固定締結部材をネジ込み可能な固定ボルトを備え、
該固定ボルトはその内側下面に消火器本体から延びて室内温度を感知するセンサーを備えたことを特徴とする請求項１ないし３のいずれかに記載する消火器装着構造。
【請求項５】
消火液を充填し、消火液噴射ノズルを下方に向けて備え、異常な高温を感知して天井から消火液を散布する型式の消火器本体を、天井に開口部を設けて天井裏に固定するにあたり、下記の手順による消火器本体の装着方法。
（１）両端が水平な平板からなるブリッジであって、中央部に天井の開口部に嵌入できる凹部を形成し、該凹部の底面が両端の水平な平板と平行であり、該凹部の長さ方向の一方の縁に本体カバーを固定できるストッパーを垂直に上方に延出させ、固定すべき天井上面の隣接する野縁間の距離より長い２本のブリッジを、消火器本体を固定すべく天井の開口部に挿入し、凹部を開口部に嵌合させ、水平な平板をそれぞれの野縁に載置し、ストッパーを外側にして２本のブリッジを消火器本体が嵌入できる間隔を維持して対称的に並べ、
（２）異常な高温を感知するセンサー及び消火液噴射ノズルを下面にして、消火器本体を本体カバーと共にブリッジとブリッジとの間より天井裏に挿入し、
（３）ブリッジの凹部に、本体カバーのブリッジガイド外方の取付け部を載置し、ブリッジと本体カバーを係合させて四隅をネジ止めし、
（４）センサー及び噴射ノズルと当接する部位を開口した、天井の開口部を覆う化粧カバーを装着し、固定カバーの下方から固定ボルトを固定締結部材で締結する。
【請求項６】
ブリッジの凹部の深さを現場の状況に適した間隔に調整する、スペーサーを４枚１組として１組以上備え、該スペーサーは３〜７ｍｍ厚を１単位とし、１単位の整数倍の厚さのスペーサーを４枚１組として１組以上備え、スペーサーの一方の面に係合突起を、他方の面に該係合突起と密に嵌合する嵌合穴を一定間隔で２個以上設けたスペーサーを、ブリッジの挿入に先立ち、ブリッジの水平な平板の下面にそれぞれ積層することを特徴とする請求項５記載の消火器の装着方法。
【請求項７】
天井と上階床構造体との間隔が消火器本体を収納するに不足する場合に、消火器本体の収納できる部分のみを収納し、天井から突出する消火器本体部分の長さとほぼ等しい長さだけ深い凹部を有するブリッジを使用して消火器本体を固定し、消火器本体の突出部分を覆うことができる深さの化粧カバーで覆うことを特徴とする請求項５又は６記載の消火器の装着方法。
【発明の詳細な説明】
【０００１】
【発明が属する技術分野】
本発明は消火液を充填し、消火液噴射ノズルを下方に向けて備え、異常な高温を感知して天井から消火液を散布する型式の自動消火器を、天井裏に装着するための簡易な消火器装着構造及び装着方法に関する。
【０００２】
【従来の技術】
従来、消火器を天井に装着する場合、消火器を固定するための特殊な野縁を、別途設置し、この野縁に消火器を取付けていた。或いは天井上方の上階の床構造体から棒状部材により天井上面に吊すことにより、消火器を天井に固定していた。また、特開平１２−１１６８１０号公報に、天井上面の野縁間にわたされて、その野縁上面に載置されるＬ字状アングルからなる本体取付け具を用いる方法が開示されている。いずれにしても、消火液噴射ノズルとセンサーを残して消火器本体を天井裏に収納する型式が外観上好ましい。
【０００３】
【発明が解決しようとする課題】
しかしながら、消火器固定用の特別な野縁や棒状部材を設けることは消火器の装着に多大な手間を要する。また、特開平１２−１１６８１０号公報に開示された方法も消火器本体から突出したＬ字状アングルを使用するため、天井に穿設した開口部から挿入するには大型になり、天井裏への挿入作業が困難になるという問題があった。更に、近時、消火器本体を天井裏に収納しきれない不十分なスペースしかない家屋もあり、この場合、消火器全体が露出することになり、外観上の問題もあった。
【０００４】
【課題を解決するための手段】
本発明は上記課題を解決することを目的とし、その構成は、消火液を充填し、消火液噴射ノズルを下方に向けて備え、異常な高温を感知して天井から消火液を散布する型式の消火器本体を、天井に開口部を設けて天井裏に固定するにあたって、
（１）両端が水平な平板からなるブリッジであって、中央部に天井の開口部に嵌入できる凹部を形成し、該凹部の底面が両端の水平な平板と平行であり、該凹部の長さ方向の一方の縁に本体カバーを固定できるストッパーを垂直に上方に延出させ、固定すべき天井上面の隣接する野縁間の距離より長い２本のブリッジを、消火器本体を固定すべく天井の開口部に挿入し、凹部を開口部に嵌合させ、水平な平板をそれぞれの野縁に載置し、ストッパーを外側にして２本のブリッジを消火器本体が嵌入できる間隔を維持して対称的に並べ、（２）消火器本体は異常な高温を感知するセンサー及び消火液噴射ノズルを下面にして、消火器本体を本体カバーと共にブリッジとブリッジとの間より天井裏に挿入し、
（３）ブリッジの凹部に、本体カバーのブリッジガイド外方の取付け部を載置し、ブリッジと本体カバーを係合させて四隅をネジ止めし、
（４）センサー及び噴射ノズルと当接する部位を開口した、天井の開口部を覆う化粧カバーを装着し、化粧カバーの中央部の下方から固定ボルトを固定締結部材で締結することを特徴とする。
【０００５】
すなわち、本発明は、両端が水平な平板からなり、中央部に天井の開口部に嵌入できる凹部を形成し、該凹部の底面が両端の水平な平板と平行であり、該凹部の長さ方向の一方の縁に本体カバーを固定できるストッパーを垂直に上方に延出させ、両端の水平な平板が固定すべき天井上面の隣接する野縁間の距離より長いブリッジを、対称に２本使用する消火器の装着構造及び装着方法である。
このブリッジを使用することにより、長いブリッジと重い消火器本体とを別個に天井裏の挿入することができ、取付け作業が簡単になる。消火器は本体カバーにより必要部分を残して下半分が覆われており、本体カバーにブリッジの凹部と係合するブリッジガイドや取付け部を設けておく。別個に挿入された２本のブリッジと消火器本体は天井の開口部からの簡単な操作で確実、安定に仮装着できる。この状態で本体カバーの四隅とブリッジとをネジ止めすることにより、消火器本体とブリッジが確実に固定される。
【０００６】
また、天井裏のスペースが不十分な場合には、消火器本体の天井裏に入る部分のみを収納し、残りの部分は突出した状態で野縁に取付けることが可能である。この場合には、天井下面から突出する長さだけ水平な平板を深く成形することにより、消火器を天井板から突出した状態でブリッジを介して野縁に安定に載置することが可能であり、消火器下面を隠すための化粧カバーを深くすることにより外観の問題も解決することができる。
【０００７】
【発明の実施の形態】
本発明におけるブリッジ１とは、図１に示すように、中央部に凹部２を有し、両端に水平な平板３を有する。しかも凹部２は水平な平板３と平行でなければならず、凹部２は長さ方向の一方の縁から上方に延出するストッパー４を有する。ストッパー４は場合によってはブリッジの全長にわたって設けても差支えない。５は剛性を有する板からなるスペーサーであり、水平な平板３に密着できる長さと幅を有し３〜７ｍｍ厚の範囲で一定の規定厚さを有する。野縁の厚さは家屋や部屋により種々まちまちであるため、ブリッジの凹部２と水平な平板３との間に野縁を挟んで空隙が生じると設置した消火器の安定性を損なうため、０〜複数枚のスペーサーを挿入して調整する。また、多くのスペーサーを挿入することは不安定で、手間を要するため、規定厚さの複数倍のスペーサー５ｘも用意して、組合わせて使用することもできる。
【０００８】
スペーサー５を装着するにあたっては、スペーサーに２個以上の係合突起６を設け、この係合突起の裏面に係合突起６と密に嵌合する嵌合穴（図面では見えない）を設ける。水平な平板３の裏面にもスペーサーを密着させたい部位の下面に嵌合穴を設ける。図１に示すように穿孔を設けても、スペーサーの係合突起と密に嵌合できればよい。図１には規定厚さ５ｍｍのスペーサー１枚（４箇所あるため合計４枚）と規定厚さの２倍の１０ｍｍのスペーサー１枚（合計は４枚）を用いた。水平な平板３及び各スペーサー５には等間隔に、且つ一致する位置に３個の嵌合穴とスペーサーには係合突起６をそれぞれ設けた。
【０００９】
図２には、野縁（図示を省略した）に載置したのみで固定していない２本のブリッジ間に、天井下面から本体カバー付き消火器を挿入している斜視図である。図２中、水平な平板の下面３ａは図示を省略した野縁７ａの上にあり、水平な平板の下面３ｂは図示を省略した野縁７ｂの上にある。９は本体カバー１３とブリッジの凹部２を固定するボルト孔である。
【００１０】
図３は野縁７にブリッジ１を載せた状態でブリッジを水平に見た側面図であり、図４は図３の中心線断面図である。
本発明における消火器の構造は炭酸ガスボンベ１０の周囲にドーナツ状のタンクからなる消火器本体１１に消火液を充填したものである。センサー８が感知した異常な高温は炭酸ガスボンベ１０の下部にある種々の装置により炭酸ガスボンベを開封し、炭酸ガスの圧力により消火器本体に充填された消火液を噴射ノズル１２から激しく噴射する。本体下面は本体カバー１３により一体に囲繞してあるが、図３〜図５においては相対する２箇所に欠落部１４を有する。鎖線で示した部分は本体カバーにより囲繞された消火器本体の側面部である。ブリッジガイド１５は本体カバー１３の下端から下方に延出しているが、欠落部１４がある側は取付け部１６を残して奥に延出しており、中央部で欠落している。すなわち、底面から見ればブリッジガイド１５は２個のコ字状突出物を開口部を向き合わせて並べたような状態である。
【００１１】
消火器を装着するにあたっては、装着すべき天井に開口部１８を穿設する。開口部１８は消火器を、本体カバーを装着した状態で挿入できる大きさであると共に、最終的にセンサー８と噴射ノズル１２が突出する孔を残して消火器を美的に覆う化粧カバーの外周より小さいことを要する。更に、互いに隣接する野縁と野縁の中間に設けることが好ましい。
【００１２】
次いで２本のブリッジ１を挿入し、ストッパー４を外側にし、水平な平板３を野縁に載せて、消火器本体が入る間隙を開けて並べる。
図３及び図４の場合、天井裏に収納すべき消火器本体の高さを仮に１６０ｍｍとすると、（天井裏の高さ）−（野縁７の高さ＋ブリッジの水平な平板の厚さ）が挿入すべきスペーサー５の厚さとなる。ここで、天井裏とは、天井板１７の上面から上階床構造１９下面との間隔である。各種の厚さのスペーサー５を組合わせ、最小の枚数になるようにして水平な平板３の下面に係合突起６と隣接する、水平な平板又はスペーサーの嵌合穴と嵌合積層する。
【００１３】
次いで、開口部から２本のブリッジ１の間に本体カバー１３付き消火器本体１１をセンサー８及び噴射ノズル１２を下にして挿入する。消火器の好ましい位置を決め、本体カバー１３の下面に形成されている取付け部１６をブリッジの凹部２の底面に載置する。取付け部１６及び凹部２は共に平滑、かつ取付けた場合に水平になるように形成されているため、重い消火器は安定に載置される。ブリッジを野縁７上をスライドさせて、取付け部１６の縁をブリッジのストッパー４と当接させ、或いは近接させる。消火器は安定にブリッジ上に載置される。この状態で凹部２と取付け部１６の端部に設けたボルト孔（図２参照）にボルトを挿入し、ナットで締結すればブリッジと消火器本体は確実に固定される。本体カバー１３の下部は角形であるため、取付け部も長方形であり、四隅をボルトとナットで固定することができる。
【００１４】
本体カバー２０は室内の雰囲気と違和感のない色彩、形状のプラスチック製カバーであり、天井の開口部１８を覆い、外周が天井の開口部のやや外側に密着する形状である。更にセンサー８と噴射ノズル１２は突出していなければ、その機能を果たすことができないため、センサーと噴射ノズルを突出させるための開口を設けてある。図３ないし図５には噴射ノズル用の開口の図示を省略したが、化粧カバーに設けた破線はセンサー用の開口を示す。
センサー８の上部は固定ボルト２１であって、外周にオスネジが切られている。２２は固定締結部材であり、内周にメスネジが切られ、下端にツマミ２３を設けたものである。固定締結部材２２を化粧カバー２０を介してセンサー８及び固定ボルト２１に挿入し、ツマミ２３を回転させながら次第に締結していくと、化粧カバーの外周が天井板１７の下面に当接し、固定締結部材２２はセンサーをツマミ２３の下端に突出させるまでに深く螺合していく。
【００１５】
以上の結果、ブリッジ１と野縁７が化粧カバー２０と共に相互に固定され、ブリッジが消火器を固定しているため、すべての部材が相互に確実に固定され、地震等が発生してもずれることがない。しかも作業は天井裏に入る必要はなく、天井裏に手を挿入する作業は、狭い天井の開口部１８からブリッジと本体カバー付き消火器を挿入する作業とブリッジと本体カバーを固定する作業のみであり、作業時間が極端に短縮される。
【００１６】
図５には天井裏のスペースが消火器全体を収納するのに不十分な場合の装着方法を示す側面図を示した。この場合には消火器が天井裏に入るだけを挿入し、入り切れない部分は突出させておく考え方である。したがって、入り切れない分だけブリッジ１の凹部を深くし、すなわち、ブリッジの垂直方向部分の長さを長くする必要がある。図５に示すようにブリッジの凹部自体が天井裏から突出することもある。この部分を覆う化粧カバーは当然にセンサーと噴射ノズルを残して全体を覆える程度に深い必要がある。装着方法は前述の方法と同一である。したがって、装着後は化粧カバーがやや深いことを除いてはほぼ同一の仕上がりが得られる。
【００１７】
【発明の効果】
本発明により、天井噴射型の自動消火器の天井裏への装着作業が極めて容易になった。更に、天井への作業は上向き作業であるだけでも困難であり、更に天井内部で複雑な作業を行う必要がなくなった。
【図面の簡単な説明】
【図１】図１は本発明のブリッジの１実施例の斜視図である。
【図２】図２には、野縁に載置したのみで固定していない２本のブリッジ間に、天井下面から本体カバー付き消火器を挿入している斜視図である。
【図３】図３は野縁にブリッジを載せた状態でブリッジを水平に見た側面図である。
【図４】図４は図３の中心線断面図である。
【図５】図５は天井裏のスペースが消火器全体を収納するのに不十分な場合の装着方法を示す側面図である。
【符号の説明】
１  ブリッジ
２  凹部
３  水平な平板
４  ストッパー
５  スペーサー
７  野縁
８  センサー
１０  炭酸ガスボンベ
１１  消火器本体
１２  噴射ノズル
１３  本体カバー
１５  ブリッジガイド
１６  取付け部
１７  天井板
１８  開口部
１９  上階床構造
２０  化粧カバー
２１  固定ボルト
２２  固定締結部材
【図１】
0003605352.tif 000002
【図２】
0003605352.tif 000003
【図３】
0003605352.tif 000004
【図４】
0003605352.tif 000005
【図５】
0003605352.tif 000006